(57)【要約】【課題】  液晶表示画面全体の輝度を同一にする。【解決手段】  画素電極を駆動する薄膜トランジスタが形成された薄膜トランジスタ基板１を有する液晶表示装置において、液晶表示画面を背面側から照らす複数の発光領域２ａと露光装置が薄膜トランジスタ基板１を一度に露光できる複数の露光領域１ａとが同一の面積で形成され、各発光領域２ａが、それぞれ液晶表示画面に対する光量を調節する。このような液晶表示装置によると、各発光領域２ａからの光量が調節されるので、液晶表示装置における露光領域１ａ毎の輝度を補正して同一にできる。【選択図】  図１
2006330637.tif 000002
【特許請求の範囲】
【請求項１】
画素電極を駆動する薄膜トランジスタが形成された薄膜トランジスタ基板を有する液晶表示装置において、
液晶表示画面を背面側から照らす複数の発光領域と露光装置が薄膜トランジスタ基板を一度に露光できる複数の露光領域とが同一の面積で形成され、前記各発光領域が、それぞれ前記液晶表示画面に対する光量を調節することを特徴とする液晶表示装置。
【請求項２】
前記各発光領域は、それぞれ独立した光源を有することを特徴とする請求項１記載の液晶表示装置。
【請求項３】
前記各発光領域は、それぞれ反射率を調節できる独立した反射板を有することを特徴とする請求項１記載の液晶表示装置。
【請求項４】
画素電極を駆動する薄膜トランジスタが形成された薄膜トランジスタ基板を有する液晶表示装置を備えたテレビジョン受像装置において、
液晶表示画面を背面側から照らす複数の発光領域と露光装置が薄膜トランジスタ基板を一度に露光できる複数の露光領域とが同一の面積で形成され、前記各発光領域が、それぞれ前記液晶表示画面に対する光量を調節することを特徴とするテレビジョン受像装置。
【請求項５】
画素電極を駆動する薄膜トランジスタが形成された薄膜トランジスタ基板を有する液晶表示装置を備えたコンピュータにおいて、
液晶表示画面を背面側から照らす複数の発光領域と露光装置が薄膜トランジスタ基板を一度に露光できる複数の露光領域とが同一の面積で形成され、前記各発光領域が、それぞれ前記液晶表示画面に対する光量を調節することを特徴とするコンピュータ。
【発明の詳細な説明】
【技術分野】
【０００１】
本発明は、画素電極を駆動する薄膜トランジスタが形成された薄膜トランジスタ基板を有する液晶表示装置に関する。
【背景技術】
【０００２】
現在、液晶表示装置に用いられるＴＦＴ(Thin Film Transistor)基板の各画素には、トランジスタによるスイッチング素子が設けられている。このトランジスタは、液晶表示のための電圧を画素単位で制御している。また、このトランジスタを形成するＴＦＴ製造工程において、露光装置を利用し、フォトリソグラフィーによるパターニング技術が用いられている。
【０００３】
この露光装置を使用したＴＦＴ製造工程では、所定のパターンが形成されたレティクルを、レンズを介してＴＦＴ基板に転写している。露光装置が一度に露光できる露光領域はレンズの性能等に依存し、液晶表示画面全体は、複数の露光領域に分割されている。例えば、ノートブックパソコン用の液晶表示装置における液晶表示画面全体は、４分割、または、８分割されている。
【０００４】
なお、液晶表示画面全体の輝度が同一になるように様々な工夫がなされている。特に、最近の大型テレビ用の液晶表示装置において、液晶表示装置における露光領域毎の輝度は、同一である必要性が高くなっている。例えば、液晶表示画面を背面側から照らすバックライトユニットにおいて、そのバックライトユニットのバックライト光源の発熱から、液晶表示画面に輝度ムラが発生することを防止する技術が存在している（例えば、特許文献１参照）。また、液晶表示画面全体の輝度に応じ、フィルタの開口率を調節してフィルタを透過する透過光量を補正し、液晶表示画面全体の輝度を同一にする技術が存在している（例えば、特許文献２参照）。
【特許文献１】特開平１０−３０１０９４号公報
【特許文献２】特開平０７−０７７６８６号公報
【発明の開示】
【発明が解決しようとする課題】
【０００５】
しかし、従来の技術では、露光装置が一度に露光できる露光領域毎に、つまり、液晶表示画面全体から分割された露光領域毎に、寸法精度のばらつき、重ね合わせ精度のばらつき、及び、液晶表示装置のＴＦＴ製造工程のばらつき等が発生してしまう。よって、露光領域毎のＴＦＴ特性にずれが発生し、液晶表示画面に輝度ムラが発生してしまう。特に、露光領域と露光領域との境界付近では、液晶表示画面に明らかな輝度ムラが発生してしまう。
【０００６】
本発明は、このような点に鑑みてなされたものであり、液晶表示画面全体の輝度が同一となる液晶表示装置を提供することを目的とする。
【課題を解決するための手段】
【０００７】
本発明では、上記課題を解決するために、図１に例示するように、画素電極を駆動する薄膜トランジスタが形成された薄膜トランジスタ基板１を有する液晶表示装置において、液晶表示画面を背面側から照らす複数の発光領域２ａと露光装置が薄膜トランジスタ基板１を一度に露光できる複数の露光領域１ａとが同一の面積で形成され、各発光領域２ａが、それぞれ液晶表示画面に対する光量を調節することを特徴とする液晶表示装置が提供される。
【０００８】
このような液晶表示装置によると、各発光領域２ａからの光量が調節されるので、液晶表示装置における露光領域１ａ毎の輝度を補正して同一にできる。
【発明の効果】
【０００９】
本発明では、各発光領域が、それぞれ液晶表示画面に対する光量を調節するようにする。
このようにすると、各発光領域からの光量が調節されるので、液晶表示装置における露光領域毎の輝度を補正して同一にできる。よって、液晶表示画面全体の輝度を同一にできる。
【発明を実施するための最良の形態】
【００１０】
以下、本発明の実施の形態を、第１の実施の形態から第３の実施の形態まで図面を参照して詳細に説明する。
まず、第１の実施の形態について説明する。図１は、第１の実施の形態の液晶表示装置である。
【００１１】
液晶表示装置は、薄膜トランジスタ基板１とバックライトユニット２とを有する。薄膜トランジスタ基板１は、画素電極を駆動する薄膜トランジスタが形成される。また、薄膜トランジスタ基板１に対し、露光装置を利用してフォトリソグラフィーによるパターニング技術が用いられ、薄膜トランジスタ基板１は、露光装置が一度に露光できる複数の露光領域１ａに分割される。バックライトユニット２は、液晶表示画面を背面側から照らす。また、バックライトユニット２は、各露光領域１ａに応じて分割されて複数の発光領域２ａを形成する。
【００１２】
この各発光領域２ａは、各露光領域１ａと同一の面積で形成される。また、各発光領域２ａは、実際の液晶表示画面に発生した輝度ムラをなくすように、各露光領域１ａに対し、バックライト光量を独立して調節する。
【００１３】
この液晶表示装置において、まず、実際の液晶表示画面に輝度ムラが発生する。その露光装置に依存した露光領域１ａ毎に発生する輝度ムラをなくすように、各発光領域２ａからの各露光領域１ａに対するバックライト光量が独立して調節される。
【００１４】
次に、第２の実施の形態について説明する。図２は、第２の実施の形態の液晶表示装置である。
液晶表示装置は、薄膜トランジスタ基板１とバックライトユニット２とを有する。薄膜トランジスタ基板１は、画素電極を駆動する薄膜トランジスタが形成される。また、薄膜トランジスタ基板１に対し、露光装置を利用してフォトリソグラフィーによるパターニング技術が用いられ、薄膜トランジスタ基板１は、露光装置が一度に露光できる複数の露光領域１ａに分割される。バックライトユニット２は、液晶表示画面を背面側から照らす。また、バックライトユニット２は、各露光領域１ａに応じて分割されて複数の発光領域２ｂを形成する。
【００１５】
この各発光領域２ｂは、各露光領域１ａと同一の面積で形成される。また、各発光領域２ｂは、実際の液晶表示画面に発生した輝度ムラをなくすように、独立した発光素子２ｂａを有し、各露光領域１ａに対し、バックライト光量を独立して調節する。この発光素子２ｂａは、発光領域２ｂ毎に用意されたバックライト光源となる。
【００１６】
この液晶表示装置において、まず、実際の液晶表示画面に輝度ムラが発生する。その露光装置に依存した露光領域１ａ毎に発生する輝度ムラをなくすように、発光素子２ｂａからのバックライト光量が調節され、各発光領域２ｂからの各露光領域１ａに対するバックライト光量が独立して調節される。
【００１７】
次に、第３の実施の形態について説明する。図３は、第３の実施の形態の液晶表示装置である。
液晶表示装置は、薄膜トランジスタ基板１とバックライトユニット２とを有する。薄膜トランジスタ基板１は、画素電極を駆動する薄膜トランジスタが形成される。また、薄膜トランジスタ基板１に対し、露光装置を利用してフォトリソグラフィーによるパターニング技術が用いられ、薄膜トランジスタ基板１は、露光装置が一度に露光できる複数の露光領域１ａに分割される。バックライトユニット２は、液晶表示画面を背面側から照らす。また、バックライトユニット２は、各露光領域１ａに応じて分割されて複数の発光領域２ｃを形成する。
【００１８】
この各発光領域２ｃは、各露光領域１ａと同一の面積で形成される。また、各発光領域２ｃは、実際の液晶表示画面に発生した輝度ムラをなくすように、反射率が調節できる独立した反射板２ｃａを有し、各露光領域１ａに対し、バックライト光量を独立して調節する。この反射板２ｃａは、バックライトユニット２の背面側に配置され、バックライト光源の反射率を調節することで、各露光領域１ａに対するバックライト光量を調節する。この反射板２ｃａの反射率は、例えば、光吸収性ドットパターンの密度や大きさ等を変化することで、調節できる。
【００１９】
この液晶表示装置において、まず、実際の液晶表示画面に輝度ムラが発生する。その露光装置に依存した露光領域１ａ毎に発生する輝度ムラをなくすように、反射板２ｃａの反射率が調節され、各発光領域２ｃからの各露光領域１ａに対するバックライト光量が独立して調節される。
【００２０】
なお、このバックライトユニット２は、従来の構造に対して各反射板２ｃａを設けるので、単純な構造にできる。
以上の各実施の形態では、露光領域を分割して作成された薄膜トランジスタ基板を用いて液晶表示装置を組み立てた場合、露光領域毎に輝度が異なるが、各発光領域からのバックライト光量が調節されるので、液晶表示装置における露光領域毎の輝度を補正して同一にできる。よって、液晶表示画面全体の輝度を同一にでき、液晶表示装置の品質を向上できる。
【図面の簡単な説明】
【００２１】
【図１】第１の実施の形態の液晶表示装置である。
【図２】第２の実施の形態の液晶表示装置である。
【図３】第３の実施の形態の液晶表示装置である。
【符号の説明】
【００２２】
１  薄膜トランジスタ基板
１ａ  露光領域
２  バックライトユニット
２ａ  発光領域
【図１】
2006330637.tif 000003
【図２】
2006330637.tif 000004
【図３】
2006330637.tif 000005